(57)【要約】【課題】来訪者や見知らぬ人がきた場合でも、犬に過度のストレスを与えることなく無駄吠えを停止させることができる犬の無駄吠え防止装置を提供する。【解決手段】本発明の犬の無駄吠え防止装置１は、呼鈴２の呼出ボタン３が押されると送信される信号、または検知手段４が検知対象を検知すると送信される信号を受信するための受信部５と、受信部５からの入力信号に基づいて給餌機６を制御するための制御部７とを有し、制御部７にコントロールされることにより、呼鈴２の呼出ボタン３が押された場合、または検知手段４が検知対象を検知した場合に給餌機６から犬に餌が供給されるように構成されている。【選択図】図１
2009118827.tif 000002
【特許請求の範囲】
【請求項１】
呼鈴の呼出ボタンが押されると送信される信号、または検知手段が検知対象を検知すると送信される信号を受信するための受信部と、該受信部からの入力信号に基づいて給餌機を制御するための制御部とを有し、該制御部にコントロールされることにより、前記呼鈴の呼出ボタンが押された場合、または前記検知手段が検知対象を検知した場合に前記給餌機から犬に餌が供給されることを特徴とする犬の無駄吠え防止装置。
【請求項２】
前記犬の無駄吠え防止装置は、前記給餌機からの餌の供給に関する各種信号を送信するためのリモコンを備えている請求項１に記載の犬の無駄吠え防止装置。
【発明の詳細な説明】
【技術分野】
【０００１】
本発明は、例えば来訪者などに対して飼い犬が無駄吠えすることを防止するための犬の無駄吠え防止装置に関する。
【背景技術】
【０００２】
従来、犬の無駄吠え防止装置しては、振動、高周波、或いは電気ショックなど犬が嫌がるものを罰として与えて躾るタイプのもの（例えば、特開２００５−３４８６５７号公報）や、犬が無駄吠えを所定時間停止すると褒美として餌を与えるタイプのもの（例えば、特開２００７−８２４８８号公報）などが提案されている。
【０００３】
ところで、犬が吠える契機は様々であり、例えば、来訪者がある時、見知らぬ人が接近してきた時、犬が近くにきた時、遠吠えする時、犬が各種欲求を充足したい時などがある。これらのうち、特に来訪者や見知らぬ人がきた時は、犬は基本的に恐怖心から威嚇吠えをして鳴き止まず、飼い主として困惑させられることがある。
【０００４】
この種の無駄吠えを防止するものとして、前者の装置は恐怖の中にさらに恐怖を与えるため鳴き止まないことが多く、また、犬に過度のストレスが与え続け経時的に病気を発症させることがあった。他方、後者の装置は、恐怖心からの威嚇吠えの最中に、餌をもらうために所定時間鳴き止むことは不可能であり実効性が全くなかった。
【特許文献１】特開２００５−３４８６５７号公報
【特許文献２】特開２００７−８２４８８号公報
【発明の開示】
【発明が解決しようとする課題】
【０００５】
そこで、本発明の課題は、来訪者や見知らぬ人がきた場合でも、犬に過度のストレスを与えることなく無駄吠えを停止させることができる犬の無駄吠え防止装置を提供することにある。
【課題を解決するための手段】
【０００６】
上記課題を解決するものは、呼鈴の呼出ボタンが押されると送信される信号、または検知手段が検知対象を検知すると送信される信号を受信するための受信部と、該受信部からの入力信号に基づいて給餌機を制御するための制御部とを有し、該制御部にコントロールされることにより、前記呼鈴の呼出ボタンが押された場合、または前記検知手段が検知対象を検知した場合に、前記給餌機から犬に餌が供給されることを特徴とする犬の無駄吠え防止装置である。
【０００７】
前記犬の無駄吠え防止装置は、前記給餌機からの餌の供給に関する各種信号を送信するためのリモコンを備えていることが好ましい。
【発明の効果】
【０００８】
本発明によれば、来訪者や見知らぬ人がきた場合でも、犬に過度のストレスを与えることなく無駄吠えを停止させることができる。
【発明を実施するための最良の形態】
【０００９】
本発明の犬の無駄吠え防止装置は、呼鈴の呼出ボタンが押された場合、または検知手段が検知対象を検知した場合に、給餌機から犬に餌が供給されるよう構成されているため、来訪者や見知らぬ人がきた場合でも、餌を与えられるという犬にとって望ましいことが起こることで恐怖心が和らぐと共に、犬の意識を餌の方に移行させ、または、本来、恐怖心を抱く事象を望ましいことが起こる前兆として経験的に学習させることで、無駄吠え停止を実現した。
【実施例１】
【００１０】
図１は、本発明の犬の無駄吠え防止装置の一実施例のブロック図であり、図２は図１に示した犬の無駄吠え防止装置の呼鈴の正面図であり、図３は図１に示した犬の無駄吠え防止装置の検知手段の斜視図であり、図４は図１に示した犬の無駄吠え防止装置のリモコンの正面図であり、図５または図６は図１に示した犬の無駄吠え防止装置の給餌機の給餌機構を説明するための正面側縦断面概略図である。
【００１１】
この実施例の犬の無駄吠え防止装置１は、図１に示すように、呼鈴２の呼出ボタン３が押されると送信される信号、または検知手段４が検知対象を検知すると送信される信号を受信するための受信部５と、受信部５からの入力信号に基づいて給餌機６を制御するための制御部７とを有し、制御部７にコントロールされることにより、呼鈴２の呼出ボタン３が押された場合、または検知手段４が検知対象を検知した場合に給餌機６から犬に餌が供給されるように構成されている。以下、各構成について順次詳述する。
【００１２】
この実施例の犬の無駄吠え防止装置１は、図１に示すように、送信機８としての呼鈴２と検知手段４とリモコン９からの信号に基づいて作動するように構成されている。他方、給餌機６は、呼鈴２、検知手段４、またはリモコン９（送信機８）から無線で配信される信号を受信する受信部５と、受信部５からの入力信号に基づいてモーター１０を作動させる制御部７と、モーター１０とを備えている。
【００１３】
この実施例の呼鈴２は、玄関先に取り付けられたドアホンの子機と、住居内に取り付けられたドアホン本体（図示せず）とを有し、ドアホンの子機は、図２に示すように、家人を呼出すための呼出ボタン３と、家人の返答を来訪者に伝達するためのスピーカー３１と、来訪者を目視確認するためのカメラ部３２と、子機の位置を来訪者に知らせるためのＬＥＤ３３と、来訪者の声を家人に伝達するためのマイク３４とを有し、ドアホン本体を介して家人と来訪者とがコミュニケーション可能に構成されている。
【００１４】
そして、呼鈴２の呼出ボタン３が押されると、ドアホン本体にその信号が送信されて受信される一方、給餌機６の受信部５にもその信号が受信されるように構成されている。  
【００１５】
なお、本願で言う「呼鈴」とは、呼出ボタンを有し、その呼出ボタンが押されると、その信号を電気的に伝達する機能を備えた装置を広く包含するものであり、例えば、ワイヤレスチャイム、インターホン、呼出ブザーなども包む概念である。
【００１６】
検知手段４は、敷地内外に検知範囲を設定して取り付けられたセンサライトにて構成されている。このセンサライトは、図３に示すように、本体部４１と、本体部の下部に設けられ検知窓４２を備えた赤外線センサ部４３と、本体部４１の上部に設けられ、人などの検知対象を検知すると点灯するライト部４４とを有している。
【００１７】
そして、このセンサライトは、人など検知対象を検知すると、ライト部４４を点灯させる一方、給餌機６の受信部５にもその信号を送信するに構成されている。
【００１８】
なお、本願で言う「検知手段」とは、少なくとも人を検知可能なセンサ部を備えたものを広く包含するものであり、例えば、光学的センサ、磁気センサ、音センサ、動態センサなどの各種センサを備えたものを広く包含する概念である。
【００１９】
リモコン９は、餌の供給に関する各種信号を送信するためのものであり、タイマー１１を内蔵すると共に、図４に示すように、電源スイッチ９１と、表示部９２と、表示部９２に表示された設定事項の切替操作を行うための切替操作部９３と、設定事項の設定値を増減するための設定値操作部９４と、餌の供給に関する設定された事項を信号として受信部５に送信するための送信ボタン９５とを有している。
【００２０】
給餌機６は、送信機８としての呼鈴２と検知手段４とリモコン９からの信号を受信するための受信部５と、受信部５からの入力信号に基づいてモーター１０を作動させて給餌を制御するための制御部７と、図５または図６に示した給餌機構１２とを有している。
【００２１】
給餌機構１２は、図５に示すように、モーター１０と、モーター１０の回転軸に固定された回転体１２ａと、回転体１２ａの周縁部付近に設けられた第１ピン１２ｂと、第１リンク１２ｃと、第１リンク１２ｃの長手方向に沿って形成された長孔１２ｄと、第１リンク１２ｃに設けられた第２ピン１２ｅと、第２リンク１２ｆと、第３リンク１２ｇと、第１リンク１２ｃの軌道を規制する規制部１２ｈと、規制部１２ｈに設けられた弧状長孔１２ｉと、給餌機６の上部付近に設けられた餌貯留部１２ｊと、給餌機６の上端部に設けられた給餌口１２ｋとを有している。
【００２２】
この給餌機構１２は、初期状態では、図５に示すように、第１リンク１２ｃは水平方向に延在しており、そのため、第３リンク１２ｇは最下方に位置している。そして、モーター１０が回転すると、回転体１２ａが回転し、回転体１２ａに設けられた第１ピン１２ｂが第１リンク１２ｃの長孔１２ｄ内を移動する。この第１ピン１２ｂの移動によって第１リンク１２ｃは左端を支点として上下動する。この時、第１リンク１２ｃに設けられた第２ピン１２ｅが、規制部１２ｈの弧状長孔１２ｉ内を移動するように規制されているため、第２リンク１２ｆは第３リンク１２ｇを滑らかに上下動させるように作用する。
【００２３】
上記のような給餌機構１２の作用によって、第３リンク１２ｇが最上位に位置した状態が図６に示す状態である。この状態では、第３リンク１２ｇの最上端部が餌をある程度保持して押し上げ、給餌口１２ｋより外方へ放出させる。なお、この給餌機構１２はモーター１０の回転軸が一回転すると、第３リンク１２ｇが垂直方向の往復運動を一回行い、それに伴って給餌を一回行う。よって、モーター１０の回転軸の回転数を増減することで給餌量の調整が可能になるように構成されている。
【００２４】
つぎに、犬の無駄吠え防止装置１の使用方法について説明する。
まず、リモコン９の電源スイッチ９１を押してＯＮ状態にすると、給餌機６の受信部５にその旨信号が送信されて給餌機６が稼働可能な状態となる。この状態で、呼鈴２の呼出ボタン３が押された場合、または検知手段４が検知対象を検知した場合、それらからの信号を受信部５が受信して、制御部７を介して給餌機構１２が作動し、給餌口１２ｋから餌が犬に供給される。これによって、餌が供給された犬は、来訪者や見知らぬ人がきた場合でも、餌を与えられるという犬にとって望ましいことが起こることで恐怖心が和らぐと共に、意識が餌の方に移行して無駄吠えを停止する。
【００２５】
また、餌の量を増減させたい場合は、リモコン９の電源スイッチ９１がＯＮ状態で、切替操作部９３の矢印ボタンを押して「給餌回数」の位置で決定ボタンを押し、設定値操作部９４を操作して増減させた後、送信ボタン９５を押しておけば、モーター１０の回転軸の回転数が増減して餌の供給量を調整することができる。
【００２６】
さらに、リモコン９の電源スイッチ９１がＯＮの状態で、かつ既に現在時刻が設定されている上で、切替操作部９３の矢印ボタンを押して「タイマー設定時刻」の位置で決定ボタンを押し、設定値操作部９４を操作してタイマー設定時刻を設定し、送信ボタン９５を押しておけば、設定された時刻に、設定された給餌回数の餌供給を自動的に行うことができる。これにより、留守にする場合の餌供給装置としても機能させることができる。
【００２７】
さらに、リモコン９の電源スイッチ９１がＯＮの状態で、「タイマー設定時刻」を００：００とし、「給餌回数」を０以外に設定して、送信ボタンを押すことで、給餌回数分の餌供給を速やかに行うことができる。これにより、必要時に任意に餌を供給することができる。
【００２８】
他方、リモコン９の電源スイッチ９１を押してＯＦＦ状態の時は、給餌機６も電源がＯＦＦ状態であるため、呼鈴２の呼出ボタン３が押された場合、または検知手段４が検知対象を検知した場合も、それらからの信号を受信部５が受信せず、犬への餌供給もなされない。これにより、夜間などの不審者に対しては、従来通り、番犬として吠えさせることも可能である。
【００２９】
このように、本発明の犬の無駄吠え防止装置は、犬に罰を与えるものでなく、また我慢を強いるものでもなく、人との対面時に犬にとって望ましいことが同時に起こることで人への恐怖心を緩和させる方向で無駄吠えを防止するため、来訪者や見知らぬ人がきた場合でも、犬に過度のストレスを与えることなく無駄吠えを停止させることができる。
【００３０】
なお、この実施例の犬の無駄吠え防止装置１は、送信機８から給餌機６への送信を無線で行っているが有線で行うものも本発明の範疇に包含される。また、この実施例の犬の無駄吠え防止装置１は、呼鈴２と検知手段４は既設の装置或いは市販の装置が利用可能に構成されており、給餌機６、或いは給餌機６とリモコン９とから構成されているが、送信機８と給餌機６とを全てシステムとして有するものも本発明の範疇に包含される。さらに、この実施例の犬の無駄吠え防止装置１は、給餌機６が受信部６および制御部７を有しているが、リモコン９が受信部６および制御部７を有する装置本体に構成されたものも本発明の範疇に包含される。さらに、この実施例の犬の無駄吠え防止装置１は、給餌機６のＯＮ・ＯＦＦ制御をリモコン９の電源スイッチ９１のＯＮ・ＯＦＦで行っているが、給餌機のＯＮ・ＯＦＦ制御を、タイマーによる時間設定で行うものも本発明の範疇に包含される。
【図面の簡単な説明】
【００３１】
【図１】本発明の犬の無駄吠え防止装置の一実施例のブロック図である。
【図２】図１に示した犬の無駄吠え防止装置の呼鈴の正面図である。
【図３】図１に示した犬の無駄吠え防止装置の検知手段の斜視図である。
【図４】図１に示した犬の無駄吠え防止装置のリモコンの正面図である。
【図５】図１に示した犬の無駄吠え防止装置の給餌機の給餌機構を説明するための正面側縦断面概略図である。
【図６】図１に示した犬の無駄吠え防止装置の給餌機の給餌機構を説明するための正面側縦断面概略図である。
【符号の説明】
【００３２】
１    犬の無駄吠え防止装置
２    呼鈴
３    呼出ボタン
４    検知手段
５    受信部
６    給餌機
７    制御部
８    送信機
９    リモコン
１０  モーター
１１  タイマー
１２  給餌機構
【図１】
2009118827.tif 000003
【図２】
2009118827.tif 000004
【図３】
2009118827.tif 000005
【図４】
2009118827.tif 000006
【図５】
2009118827.tif 000007
【図６】
2009118827.tif 000008
【手続補正書】
【提出日】平成19年11月22日(2007.11.22)
【手続補正３】
【補正対象書類名】図面
【補正対象項目名】図３
【補正方法】変更
【補正の内容】
【図３】
2009118827.tif 000009